(57)【特許請求の範囲】
【請求項１】
バーナーを備えた釜、この釜に連通する数本の熱交換パイプ、及びこの熱交換パイプの出口側に設けた熱交換パイプ集合部並びにこの熱交換パイプ集合部に設けた煙突を有するハウスヒーターにおいて、このハウスヒーターの熱交換パイプ集合部の内側底面と煙突取付部の内側底面が、略同じ基準面に設けたことを特徴とするハウスヒーターの熱交換パイプ集合部の構造。
【請求項２】
前記の略同じ基準面は、ハウスヒーターの熱交換パイプ集合部の内側底面より煙突取付部の内側底面が下方にある構成の請求項１に記載のハウスヒーターの熱交換パイプ集合部の構造。
【請求項３】
前記の略同じ基準面は、ハウスヒーターの熱交換パイプ集合部の内側底面と煙突取付部の内側底面が面一である構成の請求項１に記載のハウスヒーターの熱交換パイプ集合部の構造。
【請求項４】
前記の熱交換パイプ集合部の内側底面は、上底形態で構成されている構成の請求項１に記載のハウスヒーターの熱交換パイプ集合部の構造。
【発明の詳細な説明】
【０００１】
【発明の属する技術分野】
本発明は、農事用のハウスヒーターの熱交換パイプ集合部の構造に関する。
【０００２】
【従来の技術】
ビニールハウス（以下、ハウスとする。）の暖房は、ハウスヒーターが重宝されている。このハウスヒーターの構成を概説する。ハウスヒーター本体に設けたバーナーの燃焼で燃焼ガスを生成し、この燃焼ガスで当該ハウスヒーター本体の釜及び熱交換パイプを熱する。一方、ハウスヒーター本体に取入れられた空気は、この熱せられた熱交換パイプ及び釜との接触で温風に変換されてビニールダクトを利用してハウス内に吹出され、当該ハウス内を暖房する。
【０００３】
このハウスヒーターにおいては、燃焼ガスの生成にともなってスス、スラッジ等の異物が発生し、当該ハウスヒーターを長時間使用することにより熱交換パイプ又は熱交換パイプ集合部に順次堆積される（溜る）。異物が溜った場合には、燃焼ガスの流れが悪くなり熱交換ロスが発生し易いこと、また異物が水気をよび、この水気による腐蝕の問題があること、等の課題がある。
【０００４】
従って、異物が溜った場合には、清掃及び除去が必要となる。この清掃及び異物除去は、通常、熱交換パイプの異物を、熱交換パイプ集合部に掻き落とし、この掻き落とされた異物と、この熱交換パイプ集合部自体に溜った異物とを共に除去する方法である。
【０００５】
【発明が解決しようとする課題】
従来の課題を図６、図７を参照に説明する。前述の如く、熱交換パイプ［４］及び熱交換パイプ集合部［５］の清掃及び異物除去を行う場合、異物が溜り易い熱交換パイプ集合部［５］が問題となる。この熱交換パイプ集合部［５］の側壁［５］’には、そのほぼ中央には環状の煙突取付部［６］（煙突［７］を取付けるための部品である。）が設けられているので、この煙突取付部［６］と熱交換パイプ集合部［５］との間には段差Ａが形成される。
【０００６】
この段差Ａに異物Ｗが溜ると、この異物除去には適当な道具がなく、大変困ること、及びこの煙突取付部［６］、熱交換パイプ集合部［５］及びその近傍は、手の入るスペースが少ないことから、手を差し入れてもなかなか捕捉できず難渋し、かつ清掃に手間を要すること、等の課題がある。
【０００７】
【課題を解決するための手段】
請求項１の発明は、異物が溜り易い熱交換パイプ集合部の清掃及び異物除去を、確実かつ簡易に行うこと、在来のハウスヒーターに僅かの改良を加えて装置できること、等を意図して下記の構成を採用する。
【０００８】
本発明は、バーナーを備えた釜、この釜に連通する数本の熱交換パイプ、及びこの熱交換パイプの出口側に設けた熱交換パイプ集合部並びにこの熱交換パイプ集合部に設けた煙突を有するハウスヒーターにおいて、このハウスヒーターの熱交換パイプ集合部の内側底面と煙突取付部の内側底面が、略同じ基準面に設けたことを特徴とするハウスヒーターの熱交換パイプ集合部の構造である。
【０００９】
請求項２の発明は、極めて簡易に清掃及び異物除去が図れること、また煙突取付部の構造の簡便、又は容易な取付け、修理が図れることを意図し下記の構成を採用する。
【００１０】
本発明の略同じ基準面は、ハウスヒーターの熱交換パイプ集合部の内側底面より煙突取付部の内側底面が下方に位置する構成としたハウスヒーターの熱交換パイプ集合部の構造である。
【００１１】
請求項３の発明は、簡便な清掃及び異物除去を図れること、また煙突取付部の構造の簡便、又は容易な取付け、修理、更には材料の節約を図ることを意図し下記の構成を採用する。
【００１２】
本発明の略同じ基準面は、ハウスヒーターの熱交換パイプ集合部の内側底面と煙突取付部の内側底面が面一の構成としたハウスヒーターの熱交換パイプ集合部の構造である。
【００１３】
請求項４の発明は、異物が溜り易い熱交換パイプ集合部の清掃及び異物除去を、確実かつ簡易に行うこと、在来の熱交換パイプ集合部にも採用できることを意図し下記の構成を採用する。
【００１４】
本発明の熱交換パイプ集合部の内側底面は、上底形態で構成されているハウスヒーターの熱交換パイプ集合部の構造である。
【００１５】
【発明の実施の形態】
ハウスヒーターにファンを備えた吸込口より外気を取入れると略同時に、ハウスヒーターのバーナーの燃焼で燃焼ガス（熱風）を生成し、この燃焼ガスを釜に吹出す。この燃焼ガスは、釜及び熱交換パイプの外周面全体を暖めながら流れていき、この熱交換パイプの出口側に設けた熱交換パイプ集合部に達した後、この煙突に到る。このハウスヒーターの運転と熱交換パイプの清掃により熱交換パイプ集合部に異物が溜るが、本発明では、熱交換パイプ集合部の内側底面と煙突取付部の内側底面とが略同じ基準面となることから、煙突を取外し、煙突取付部を露出すれば、簡易に清掃及び除去できる。
【００１６】
【実施例】
１は外気の吸込口１ａと温風の吹出口１ｂを有するハウスヒーターで、このハウスヒーター１には、バーナー２と、このバーナー２が設けられた釜３と、この釜３に連設された数本の熱交換パイプ４と、この熱交換パイプ４の出口側４ａ（終端）に設けた熱交換パイプ集合部５、及びこの熱交換パイプ集合部５に設けた煙突取付部６と、この煙突取付部６に設けた煙突７がそれぞれ配備されている。ハウスヒーター１と釜３及び熱交換パイプ４との間には空気が通過するスペースがあり、このスペースを通過する空気は、熱交換パイプ４の円周壁面及び釜３の全周壁面の接触により温風に変換される。
【００１７】
前記釜３には数本の熱交換パイプ４が連設されており、この熱交換パイプ４の出口側４ａには熱交換パイプ集合部５が設けられている。この熱交換パイプ集合部５の内側底面５ａは煙突取付部６の内側底面６ａと略同じ基準面である。その一例を説明すると、図３の熱交換パイプ集合部５の内側底面５ａより煙突取付部６の内側底面６ａが低くなる構造、図４の熱交換パイプ集合部５の内側底面５ａと煙突取付部６の内側底面６ａとが面一構造、また図５の上底５１の上面５１ａと煙突取付部６の内側底面６ａとが面一構造、等がある。勿論、熱交換パイプ集合部５の底面５ａの異物Ｗが容易に除去できる構成の熱交換パイプ集合部５の底面５ａと煙突取付部６の底面６ａとの関係であれば、前記の説明及び図例に限らない。
【００１８】
図中、８は架台、９はビニールダクトを示す。
【００１９】
【発明の効果】
請求項１の発明は、バーナーを備えた釜、熱交換パイプ、及び熱交換パイプ集合部、並びにこの熱交換パイプ集合部に設けた煙突取付部と、この煙突取付部に設けた煙突でなるハウスヒーターにおいて、ハウスヒーターの熱交換パイプ集合部の内側底面に煙突取付部の内側底面が、略同じ基準面とする構成のハウスヒーターの熱交換パイプ集合部の構造である。従って、熱交換パイプ及び熱交換パイプ集合部の清掃及び異物除去を、確実かつ簡易に行えること、在来のハウスヒーターに僅かの改良を加えて装置できること、等の特徴がある。
【００２０】
請求項２の発明における略同じ基準面は、ハウスヒーターの熱交換パイプ集合部の内側底面より煙突取付部の内側底面が下方に位置する構成としたハウスヒーターの熱交換パイプ集合部の構造である。従って、極めて簡易に清掃及び異物除去が図れること、また煙突取付部の構造の簡便、又は容易な取付け、修理が図れる特徴がある。
【００２１】
請求項３の発明における略同じ基準面は、ハウスヒーターの熱交換パイプ集合部の内側底面と煙突取付部の内側底面が面一の構成としたハウスヒーターの熱交換パイプ集合部の構造である。従って、簡便な清掃及び異物除去が図れること、また煙突取付部の構造の簡便、又は容易な取付け、修理、更には材料の節約が図れる特徴がある。
【００２２】
請求項４の熱交換パイプ集合部の内側底面は、上底形態で構成されているハウスヒーターの熱交換パイプ集合部の構造である。従って、在来の熱交換パイプ集合部にも採用できること等の特徴がある。
【図面の簡単な説明】
【図１】ハウスヒーター全体の一部欠截の正面図である。
【図２】ハウスヒーター全体の一部欠截の側面図である。
【図３】熱交換パイプ、熱交換パイプ集合部及び煙突取付部の関係の一例を説明する斜視図である。
【図４】熱交換パイプ、熱交換パイプ集合部及び煙突取付部の関係の他の一例を説明する要部の側面図である。
【図５】熱交換パイプ集合部の他の一例を説明する一部欠截の斜視図である。
【図６】従来の熱交換パイプ、熱交換パイプ集合部及び煙突取付部の関係の一例を説明する斜視図である。
【図７】図６の要部の側面図である。
【符号の説明】
１ ハウスヒーター
１ａ 吸込口
１ｂ 吹出口
２ バーナー
３ 釜
４ 熱交換パイプ
４ａ 出口側
５ 熱交換パイプ集合部
５１ 上底
５１ａ 上面
５ａ 内側底面
６ 煙突取付部
６ａ 内側底面
７ 煙突
８ 架台
９ ビニールダクト
Ａ 段差
Ｗ 異物
【図１】
0003736780.tif 000002
【図２】
0003736780.tif 000003
【図３】
0003736780.tif 000004
【図４】
0003736780.tif 000005
【図５】
0003736780.tif 000006
【図６】
0003736780.tif 000007
【図７】
0003736780.tif 000008